(57)【要約】【課題】  アラームのためのタイマ値を自動的に設定することができるＳＴＬ監視方法、ＳＴＬ受信器および警報発生器を提供する。【解決手段】  ＳＴＬ５の受信器２が備える警報発生器２６のコマンド検出部２６１がＳＴＬのＳＣを介して受信するコマンド信号を検出して、その検出周期をタイマ２６３のカウンタ２６４よりカウントし、制御処理部２６２は、カウントされた前記検出周期をコマンド信号が正常に入力される時のリードタイムとするタイマ値に設定し、次回以降入力されるコマンド信号がタイマ値以内に受信できなかった場合、コマンド信号の伝送異常と判定し、アラームをアラーム出力部２６４から出力する。【選択図】  図３
2007013494.tif 000002
【特許請求の範囲】
【請求項１】
放送局のスタジオ側から送信所にＳＴＬ（Ｓｔｕｄｉｏ  ｔｏ  Ｔｒａｎｓｍｉｔｔｅｒ  Ｌｉｎｋ）のＳＣ（Ｓｅｒｖｉｃｅ  Ｃｈａｎｎｅｌ）によって無線中継され、前記送信所に設置される送信装置をリモートコントロールするコマンド信号を監視するＳＴＬ監視方法において、
前記ＳＴＬの受信器は、ＳＣ出力手段と警報発生手段とを有し、
前記ＳＣ出力手段は、
前記ＳＣにより無線中継された前記コマンド信号を前記送信装置および前記警報発生手段へ出力し、
前記警報発生手段は、
前記ＳＣ出力手段から入力される前記コマンド信号を監視して検出し、
予め設定された第１のリードタイムをメモリに記憶すると共にタイマを参照して前記コマンド信号を検出する周期をカウントし、
前記カウントされた周期が前記第１のリードタイムよりも短い場合、前記第１のリードタイムを前記カウントされた周期の第２のリードタイムに更新し、
その後前記カウントされた第２の周期が更に前記第２のリードタイムより短い場合には、前記第２の周期により前記第２のリードタイムを更新し、
前記第２のリードタイムを越えても前記コマンド信号を検出しない場合、アラームを出力すると共に、更に前記予め設定された第１のリードタイム以内に前記コマンド信号を新たな周期で検出した場合には、前記アラームを停止し前記第１、又は前記第２のリードタイムを前記新たな周期で更新することにより第３のリードタイムとして記憶する制御を行う
ことを特徴とするＳＴＬ監視方法。
【請求項２】
前記第１のリードタイムは、
アラームを発生するまでの許容時間の候補の最大値であることを特徴とする請求項１に記載のＳＴＬ監視方法。
【請求項３】
放送局のスタジオ側から送信所に設置される送信装置をリモートコントロールするコマンド信号をＳＴＬのＳＣで無線中継して前記送信装置へ出力するＳＴＬ受信器において、
前記コマンド信号を出力するＳＣ出力手段と、
前記ＳＣ出力手段から入力される前記コマンド信号を検出するコマンド検出部と、タイマと、予め設定された第１のリードタイムをメモリに記憶すると共に前記タイマを参照して前記コマンド信号が検出される周期をカウントし、前記カウントされた周期が前記第１のリードタイムよりも短い場合、前記第１のリードタイムを前記カウントされた周期の第２のリードタイムに更新し、その後前記カウントされた第２の周期が更に前記第２のリードタイムより短い場合には、前記第２の周期により前記第２のリードタイムを更新し、前記コマンド信号が前記第２のリードタイムを越えても検出されない場合、アラームを出力すると共に、更に前記予め設定された第１のリードタイム以内に前記コマンド信号が新たな周期で検出された場合には、前記アラームを停止し前記第１、又は前記第２のリードタイムを前記新たな周期で更新することにより第３のリードタイムとして記憶する制御を行う制御部とを備える警報発生手段とを
具備することを特徴とするＳＴＬ受信器。
【請求項４】
前記第１のリードタイムは、アラームを発生するまでの許容時間の候補の最大値であることを特徴とする請求項３に記載のＳＴＬ受信器。
【請求項５】
放送局のスタジオ側から送信所に設置される送信装置をリモートコントロールするコマンド信号をＳＴＬのＳＣで無線中継して前記送信装置へ出力するＳＴＬ受信器の警報発生器において、
前記ＳＴＬ受信器が受信した前記コマンド信号を検出するコマンド検出手段と、
タイマと、
予め設定された第１のリードタイムをメモリに記憶すると共に前記タイマを参照して前記コマンド信号が検出される周期をカウントし、前記カウントされた周期が前記第１のリードタイムよりも短い場合、前記第１のリードタイムを前記カウントされた周期の第２のリードタイムに更新し、その後前記カウントされた第２の周期が更に前記第２のリードタイムより短い場合には、前記第２の周期により前記第２のリードタイムを更新し、前記コマンド信号が前記第２のリードタイムを越えても検出されない場合、アラームを出力すると共に、更に前記予め設定された第１のリードタイム以内に前記コマンド信号が新たな周期で検出される場合には、前記アラームを停止し前記第１、又は前記第２のリードタイムを前記新たな周期で更新することにより第３のリードタイムとして記憶する制御を行う制御部とを
具備することを特徴とするＳＴＬ受信器の警報発生器。
【発明の詳細な説明】
【技術分野】
【０００１】
本発明は、放送番組信号を中継するＳＴＬのＳＴＬ監視方法および、ＳＴＬ受信器、ならびに警報発生器に関する。
【背景技術】
【０００２】
放送電波を送信する送信所は、放送局のスタジオと離れた山頂などに無人で設置されることが多く、スタジオと送信所の間を光ファイバケーブルやマイクロ波で番組信号を中継する。無人の送信所との間の中継装置は、自装置、および伝送路で発生した異常を検出して予備系への自動切替を行ったり、スタジオ側に異常を報知するための警報機能を備えている。
【０００３】
中継装置の警報機能は、放送のデジタル化に伴い、伝送信号のクロック等を精確に監視してビット単位やフレーム単位で高速に異常を検出してアラームを出力する（例えば、特許文献１。）ことにより、現用系から予備系への無瞬断切替を実現している。
【０００４】
マイクロ波を用いる中継装置は、ＳＴＬ（Ｓｔｕｄｉｏ  ｔｏ  Ｔｒａｎｓｍｉｔｔｅｒ  Ｌｉｎｋ）装置と呼ばれ、ＳＴＬは、高速の番組信号の中継伝送のチャネルと、リモコン信号等を伝送する低速のＳＣチャネル（Ｓｅｒｖｉｃｅ  Ｃｈａｎｎｅｌ、以下、ＳＣと省略する。）があり、これらのチャネルが多重されたキャリア信号は、上記の様にアラーム発生と無瞬断切替が行われるのでスタジオと送信所との間のＳＴＬの通信を常に確保することが出来る。
【０００５】
ＳＣは、送信所に設置された機器、装置のリモートコントロールや、動作状態監視（ヘルスチェック等）のリモコン信号を伝送する。そして、リモコン信号は、例えば、専用線を現用系の回線とし、ＳＣを予備系の回線として送信されることが多い。ＳＣは、元来リモコン信号等を素通しに受け渡す伝送を目的で準備されるものなので、ＳＴＬに対しては、スタジオの装置や送信所の送信装置からリモコン信号の伝送制御に係わる情報は提供されない。しかし、ＳＴＬのＳＣで伝送する信号に異常が有った場合、その異常を検出して警報（アラーム）を送信装置等へ報知しなければならない。
【０００６】
従って従来は、ＳＴＬが設置される送信所毎にリモコン制御を受ける機器に適したアラーム出力を設定するためのＳＣに対する警報発生器の設計、又は現場調整を必要とする問題があった。
【０００７】
また、ＳＣの用途が運用中に予備系の回線用途と現用系の回線用途のいずれかに切替えられて使用される場合、リモコン信号の送信周期が変更されるために現用系か予備系かで周期に応じてアラーム出力の設定を変えることが必要である。しかし、先述の如く通常ＳＣの用途が予備系であるか、現用系であるかはＳＴＬへ通知されないのでアラーム発生の条件の設定変更を自動で行えない。
【０００８】
そこで遠隔地にある送信所へ系統切替毎に設定変更の作業員を派遣しなくても済むようにするため、異常検出からアラームを報知するまでの許容時間（リードタイム）を例えば、予備系でのリモコン信号の送信周期に適用される長いリードタイムによるアラーム発生条件だけで済ませていた。しかし、この方法だと、現用系では速やかに異常を検出して報知するアラーム出力が出来ない問題があった。
【特許文献１】特開２０００−３３２７２０号公報  （第１１頁、第４図）
【発明の開示】
【発明が解決しようとする課題】
【０００９】
従来のＳＴＬでは、スタジオの装置側、もしくは送信所の送信装置からＳＴＬが伝送するリモコン信号監視のための監視条件の情報が供給されないため、送信所毎に監視タイマ時間を作業員が設定しなければならず、また現用、予備の系統切替に対応したタイマ時間の設定を自動変更できない問題があった。
【００１０】
本発明は上記問題を解決するためになされたもので、リモコン信号を監視してアラームのためのタイマ値を自動的に設定することができるＳＴＬの監視制御方法、ＳＴＬ受信器および警報発生器を提供することを目的とする。
【課題を解決するための手段】
【００１１】
上記目的を達成するために、本発明のＳＴＬ監視方法は、放送局のスタジオ側から送信所にＳＴＬ（Ｓｔｕｄｉｏ  ｔｏ  Ｔｒａｎｓｍｉｔｔｅｒ  Ｌｉｎｋ）のＳＣ（Ｓｅｒｖｉｃｅ  Ｃｈａｎｎｅｌ）によって無線中継され、前記送信所に設置される送信装置をリモートコントロールするコマンド信号を監視するＳＴＬ監視方法であって、前記ＳＴＬの受信器は、ＳＣ出力手段と警報発生手段とを有し、前記ＳＣ出力手段は、前記ＳＣにより無線中継された前記コマンド信号を前記送信装置および前記警報発生手段へ出力し、前記警報発生手段は、前記ＳＣ出力手段から入力される前記コマンド信号を監視して検出し、予め設定された第１のリードタイムをメモリに記憶すると共にタイマを参照して前記コマンド信号を検出する周期をカウントし、前記カウントされた周期が前記第１のリードタイムよりも短い場合、前記第１のリードタイムを前記カウントされた周期の第２のリードタイムに更新し、その後前記カウントされた第２の周期が更に前記第２のリードタイムより短い場合には、前記第２の周期により前記第２のリードタイムを更新し、前記第２のリードタイムを越えても前記コマンド信号を検出しない場合、アラームを出力すると共に、更に前記予め設定された第１のリードタイム以内に前記コマンド信号を新たな周期で検出した場合には、前記アラームを停止し前記第１、又は前記第２のリードタイムを前記新たな周期で更新することにより第３のリードタイムとして記憶する制御を行うことを特徴とする。
【００１２】
また、本発明のＳＴＬ受信器は、放送局のスタジオ側から送信所に設置される送信装置をリモートコントロールするコマンド信号をＳＴＬのＳＣで無線中継して前記送信装置へ出力するＳＴＬ受信器において、前記コマンド信号を出力するＳＣ出力手段と、前記ＳＣ出力手段から入力される前記コマンド信号を検出するコマンド検出部と、タイマと、予め設定された第１のリードタイムをメモリに記憶すると共に前記タイマを参照して前記コマンド信号が検出される周期をカウントし、前記カウントされた周期が前記第１のリードタイムよりも短い場合、前記第１のリードタイムを前記カウントされた周期の第２のリードタイムに更新し、その後前記カウントされた第２の周期が更に前記第２のリードタイムより短い場合には、前記第２の周期により前記第２のリードタイムを更新し、前記コマンド信号が前記第２のリードタイムを越えても検出されない場合、アラームを出力すると共に、更に前記予め設定された第１のリードタイム以内に前記コマンド信号が新たな周期で検出された場合には、前記アラームを停止し前記第１、又は前記第２のリードタイムを前記新たな周期で更新することにより第３のリードタイムとして記憶する制御を行う制御部とを備える警報発生手段とを具備することを特徴とする。
【００１３】
更にまた、本発明のＳＴＬ受信器の警報発生器は、放送局の送信所に設置される送信装置をスタジオ側からリモートコントロールするコマンド信号を、ＳＴＬのＳＣで無線中継して前記送信装置へ出力するＳＴＬ受信器の警報発生器において、前記ＳＴＬ受信器が受信した前記コマンド信号を検出するコマンド検出手段と、タイマと、予め設定された第１のリードタイムをメモリに記憶すると共に前記タイマを参照して前記コマンド信号が検出される周期をカウントし、前記カウントされた周期が前記第１のリードタイムよりも短い場合、前記第１のリードタイムを前記カウントされた周期の第２のリードタイムに更新し、その後前記カウントされた第２の周期が更に前記第２のリードタイムより短い場合には、前記第２の周期により前記第２のリードタイムを更新し、前記コマンド信号が前記第２のリードタイムを越えても検出されない場合、アラームを出力すると共に、更に前記予め設定された第１のリードタイム以内に前記コマンド信号が新たな周期で検出される場合には、前記アラームを停止し前記第１、又は前記第２のリードタイムを前記新たな周期で更新することにより第３のリードタイムとして記憶する制御を行う制御部とを具備することを特徴とする。
【発明の効果】
【００１４】
本発明によれば、リモコン信号を監視して自動的にコマンド信号の伝送異常を検出するためのタイマ値が設定されるのでＳＴＬの設置、および調整工事を容易に済ますことができ、また現用系、予備系の系統切替に対応してタイマ値の自動変更が出来る。
【発明を実施するための最良の形態】
【００１５】
以下、図面を参照して本発明の実施例を説明する。
【実施例】
【００１６】
図１は、本発明の実施例に係る監視制御方法におけるＳＴＬの機能構成を示すブロック図である。
【００１７】
図１においてＳＴＬ５は、スタジオに設置される送信器１と、送信所に設置される受信器２とからなり、送信器１は、スタジオ側のスタジオ装置ＳＥに接続され、受信器２は、送信所の送信装置ＴＳに接続される。
【００１８】
送信器１は、それぞれが内部バス等で接続される無線送信部１１、多重部１２、素材入力部１３、ＳＣ（Ｓｅｒｖｉｃｅ  Ｃｈａｎｎｅｌ）入力部１４、制御入出力部１５とを備える。
【００１９】
多重部１２は、スタジオ装置ＳＥから素材入力部１３を介して入力される番組信号と、スタジオ装置ＳＥからＳＣ入力部１４を介して入力されるリモコン信号とを多重してキャリア信号を生成して無線送信部１１へ出力する。無線送信部１１は、アンテナからキャリア信号を受信器２に向けて送信する。制御入出力部１５は、送信器１の動作を制御、表示するダイヤル、スイッチおよびランプ等の入出力手段か、または、シリアルインタフェース等により外部の調整用機器から制御設定信号を入出力インタフェースを備えるものである。
【００２０】
受信器２は、それぞれが内部バス等で接続される無線受信部２１、分離部２２、番組信号を送信装置ＴＳへ出力する素材出力部２３、ＳＣ出力部２４、制御入出力部２５、および警報発生器２６を備えている。無線受信部２はアンテナで送信器１から受信するキャリア信号を分離部２２へ出力し、分離部２は、入力されたキャリア信号を多重分離し、番組信号を素材出力部２３へ出力し、同じく分離したリモコン信号をＳＣ出力部へ出力する。
【００２１】
素材出力部２３は、番組信号を送信装置ＴＳへ出力する。ＳＣ出力部２４は、リモコン信号を同じく送信装置ＴＳへ出力するとともに、リモコン信号は、警報発生器２６へも入力される。なお、スタジオ側から送信されるリモコン信号は、送信所側の送信装置の各部の動作制御やヘルスチェック信号を要求するコマンド信号なので、以下、リモコン信号をコマンド信号と総称して説明する。
【００２２】
制御入出力部２５は、受信器２の動作を制御、表示するダイヤル、スイッチおよびランプ等の入出力手段か、または、シリアルインタフェース等により外部の調整用機器から制御設定信号を入出力インタフェースを備えるものである。
【００２３】
図２は、ＳＴＬを用いてコマンド信号を送信する系統図の例である。  
図２（ａ）は、図１に対応する系統を示すもので、ＳＴＬのＳＣはコマンド信号を伝送する予備系に使用され、現用系には専用線が用いられる場合の系統図である。
【００２４】
図２（ｂ）は、専用線が使用できない場合に、ＳＴＬのＳＣが予備系から現用系用途に切替られて使用される場合の系統図である。
【００２５】
以下、図２（ａ）の場合を例にしてＳＴＬの動作を説明する。
【００２６】
スタジオ装置ＳＥは、図示されていない送信装置ＴＳの各構成のリモートコントロールや構成各部が正常か否かを判定するためのヘルスチェックを行うためのコマンド信号を送信装置ＴＳへ向けて送信する。
【００２７】
コマンド信号は、スタジオ装置ＳＥから２系統で出力され、図１では、一方のコマンド信号が専用線へ、他方のコマンド信号がＳＣ入力部１４へ入力される。ＳＣ入力部へ入力されたコマンド信号は、多重部１２で素材入力部１３へ入力された番組信号と多重され、無線送信部１１を介して受信器２へ向けて無線送信される。
【００２８】
受信器２の無線受信部２１で受信されたコマンド信号は、分離部２２で分離出力されＳＣ出力部２４から送信装置ＴＳへ入力される。ＳＣ出力部２４から出力されるコマンド信号は更に、コマンド信号を監視して異常があるとアラームを発生し、送信装置ＴＳの図示されない監視処理部へアラームを出力する警報発生器２６へ入力されている。
【００２９】
ＳＴＬ５は、番組信号（素材信号）を伝送するための中継装置であるため、番組信号の入出力条件は標準化されているが、送信装置ＴＳの送信運用方法は、放送局の運用方針や、その送信装置ＴＳの製造業者等によりまちまちで、必要とするコマンドの種類やその送信周期も様々である。その結果従来、警報発生器２６では、送信所毎にコマンド信号の受信周期に対応したアラームを出力する許容時間（タイミング）を設定する調整作業が必要であった。
【００３０】
コマンド信号は、専用線とＳＴＬ５の２つの系統で送信装置ＴＳへ送信されるが、ＳＴＬ５に対しては、入力されるコマンド信号が現用系として入力されているのか、予備系として入力されているかを区別する信号または、情報は入力されない。この様な条件下で送信装置ＴＳは、ＳＴＬ５が伝送するコマンド信号が正常に受信されているかを判定してＳＴＬ５の切替、もしくは送信装置ＴＳの動作モードを変更する。そのために、ＳＴＬ５は、伝送しているコマンド信号が異常になった場合、送信装置ＴＳへアラームを通知しなければならない。
【００３１】
また、更なる問題として、警報発生器２６は、自装置が伝送しているコマンド信号が現用系か予備系なのかに応じてアラーム発生処理を切替えることが望ましいが、従来は前述の如く自装置が送信しているコマンド信号が、現用なのか予備系であるか不明なので予備系の信号の送信周期を基準にしてその時間内にコマンド信号を受信しない場合にアラームを発生する設定にしている。
【００３２】
通常、現用系は専用線を用いて送信され、ＳＴＬ５は、予備系として利用されるので、ＳＴＬ５は予備系として必要なコマンド信号を伝送する。多くの場合、後の図４で示される様に現用系で伝送する場合に比べ、予備系はコマンド信号が低速、もしくは長周期で入力され、例えば、コマンド信号は、現用系である場合１秒毎に繰り返し入力されるが、予備系では３秒と行ったような数倍の周期で入力される。
【００３３】
本発明の実施例のＳＴＬは、コマンド信号の受信周期（間隔）を測定してアラームを出力する無信号の許容時間（リードタイム）を自動的に設定する警報発生器２６を備えることにより、送信所毎に異なるアラーム発生までの無信号時間の許容時間（リードタイム）の条件、および予備系と現用系のコマンド信号送信周期の違いに自動的に対応している。
【００３４】
図３は、警報出力部２６の機能構成を示すブロック図である。  
図３において、警報出力部２６は、それぞれが内部バス等で接続されたコマンド検出部２６１、制御処理部２６２、タイマ２６３、カウンタ２６４、およびアラーム出力部２６５を備えている。コマンド検出部２６１は、コマンド出力部２５の出力端子に接続されて、送信装置ＴＳへ入力されるコマンド信号のパケットが分岐して入力されるか、または、受信器２の内部バス等を介して受信器２が受信したパケットが入力される。
【００３５】
そしてコマンド検出部２６１は、入力されたパケットを調べてそれが、例えば、ヘッダのコマンドフラグを判読するなどの方法によってコマンドフォーマットであると判定した場合、コマンド信号の受信通知を制御処理部２６２へ内部バスを介して出力する。そして、制御処理部２６２は、タイマ２６３とカウンタ２６４とを参照することにより所定の許容時間を超過してもコマンド信号を受信しない場合、コマンド信号の受信異常のアラームをアラーム出力部２６４から送信装置ＴＳへ向けて出力する。
【００３６】
本発明の実施例では、制御処理部２６２が入力されるコマンド信号の受信周期（間隔）を監視して学習することによりアラームを発生するまでのリードタイムを自動的に設定する。
【００３７】
図４、図５は、コマンド信号の受信とアラーム発生のタイミングの関係を説明する図である。  
図４（ａ）、（ｂ）は、スタジオ装置ＳＥからそれぞれ現用系、予備系で入力されるコマンド信号の１例のタイミング図である。ここでは、現用系が周期Ｔ（「１秒」）でコマンド信号を入力し、予備系はその３倍の３Ｔ（「３秒」）で入力する。また、後に説明するアラーム発生までのリードタイムの最大候補値（最大許容値）として、Ｔｍａｘ（「１０秒」）が予め警報発生器２６の制御処理部２６２の内部メモリに記憶されている。ｔ０〜ｔｍはそれぞれ、コマンド信号が送信、もしくは、警報発生器２６２で受信される時刻である。
【００３８】
図５は、コマンド信号に対するアラーム発生の関係を示し、図５（ａ）、（ｂ）は、警報発生器２６がそれぞれ現用系、予備系で受信する場合のコマンド信号である。図５（ｃ）、（ｄ）は、アラーム信号の出力を示している。
【００３９】
図６は、本実施例の警報発生器におけるタイマ時間の設定方法の手順を説明するフローチャートである。  
以下、図１〜図６を参照してＳＴＬ５の各構成の動作を説明する。ＳＴＬ５は、図２（ａ）の様に予備系としてＳＣでコマンド信号を送信すると仮定する。ＳＴＬ５の受信器２の警報発生器２６の制御処理部２６２は、コマンド信号が受信できない場合のタイマ時間（アラーム発生までのリードタイム、以下タイマ値とも呼ぶ。）の最大許容時間Ｔｍａｘ「１０秒」がデフォルト値として設定され、内部メモリに記憶されている。
【００４０】
なお、このデフォルト値は、ＳＴＬ受信器として統一した値が設定されるが、このデフォルト値を変更したい場合には、制御入出力部２５のキーボード等から変更設定することも可能である。
【００４１】
ＳＴＬ５が電源を投入された動作開始時（図４の時刻ｔｓ）に、制御処理部２６２は内部メモリから最大許容時間Ｔｍａｘの１０秒を読み出してタイマ２６３のタイマ値を１０秒にセットすると共に、タイマ２６３のカウンタ２６４をクリヤ（図６のステップｓ１）し、タイマ２６３はカウントを再開する（ステップｓ２）。
【００４２】
警報発生部２６のコマンド検出部２６１は、受信器２のＳＣ出力部２４から入力される信号を監視してスタジオ装置ＳＥから予備系の３秒間隔で送信される信号を受信し、所定のコマンド信号のフォーマットである場合、コマンド信号であると判定する。そして、図４の時刻ｔ０にコマンド信号を検出し（ステップｓ３、ステップｓ３がＹｅｓ）、制御処理部２６２へコマンド信号の受信とカウント値を通知したとする。
【００４３】
この受信は、タイマセット後１回目の受信であるので（ステップｓ３−１がＹｅｓ）、制御処理部２６２は、カウンタ２６４を一度クリア（リセット）（ステップｓ５）して再びカウントを続行する（ステップｓ２、ステップｓ３がＮｏ、ステップｓ６）。スタジオ装置ＳＥからは現用系のコマンド信号が３秒周期（間隔）で連続して次々と送信されるので２周期目（図４の時刻ｔ３）のコマンド信号を受信すると（ステップｓ３、ステップｓ３−１がＮｏ）、制御処理部２６２は、カウンタ値３秒を読み出すことになる。
【００４４】
そして、制御処理部２６２は、コマンド信号の送信周期が３秒間であると判断して、アラーム発生までのリードタイム（許容時間）であるタイマ値を「１０秒」から「３秒」に更新する（ステップｓ４）と共にカウンタ２６４をクリアする（ステップｓ５）。以上の手順によって現用系として連続運用される場合には、この３秒間の時間がタイマ値として自動設定される。
【００４５】
もし、ＳＴＬ５が最初に現用系として運用される場合、上記３秒を１秒、および時刻ｔ３をｔ１と読み変えればタイマ設定値は１秒間になるが手順は同様である。
【００４６】
また、ＳＴＬ５が予備系で運用されている間に現用系に切替えられる場合にも同様に上記３秒を１秒、および上記ステップｓ３の時刻ｔ３をｔ１と読み変えれば良い。即ち、予備系で運用中の３秒のリードタイム中の１秒の受信間隔でコマンド信号を受信するので、短い１秒のカウンタ値えられるようになり、タイマ値が３秒から１秒に更新される。
【００４７】
一方、図５に示す様にスタジオ装置ＳＥが、現用系としてコマンド信号を送信していたＳＴＬ５を予備系で運用する動作変更を時刻ｔｘに行ったとする。この場合、タイマ値（許容時間）は、１秒なので切替後の時刻ｔ１になっても、コマンド信号は３秒間隔となるのでタイマ値の１秒内にコマンド信号を受信出来ないので図５（ｃ）の様にアラームが発生する。そこで、本実施例では以下の手順によりアラームを解除するとともに新たにタイマ値（リードタイム）を３秒に自動変更している。
【００４８】
図６のフローチャートに戻り、上記の様に時刻ｔ１では、コマンド信号を受信しない（ステップｓ３−１がＮｏ、ステップｓ６がＹｅｓ）のでタイムオーバーとなり制御処理部２６２は、アラーム出力部２６５からアラームを出力する（ステップｓ７）。そして、内部メモリを再び読み出してデフォルト状態のタイマ値である最大「１０秒」に復帰しカウンタをリセットする。
【００４９】
警報発生器２６へは、スタジオ装置ＳＥから予備系の３秒間隔でコマンド信号が入力されるので、図５の時刻ｔ３になると、最初のコマンド信号を受信した状態（ステップｓ３−１がＹｅｓ）になり、カウンタ２６４が一度クリアされる（ステップｓ５）。その後、時刻ｔ６になると予備系で２度目のコマンド信号を受信し（ステップｓ３−１がＮｏ）新たなタイマ値「３秒」が設定される（ステップｓ４）と共にアラームは図５（ｄ）の様に出力が停止される。
【００５０】
なお、以上の図５の説明では、現用系と予備系のコマンド信号の出力タイミングは同期し、予備系ではコマンド信号出力が間引かれた状態の図を示しているが、同期していない場合も、予備系と現用系との間の切替動作は同様なので説明は省略する。
【００５１】
また、第２の方法として、図６におけるステップｓ３−１を省略（即ち、タイマ値１０秒を最初にコマンド信号を受信した時のカウント値でタイマ値を直ぐ更新する。）する方法でも良い。
【００５２】
第２の方法の場合には、１回目のコマンド信号の受信直後にタイマを更新した時に３秒よりも短いタイマ値が設定されることがあっても同時にカウンタ２６４がクリアされ、そのクリアした時刻を基準にカウントが開始される。そして、２回目のコマンド信号の受信時に３秒がカウントされ、タイマ値は正しい３秒に自動的に修正変更される。この手順は、現用系から予備系に切替わる時の上記説明を同様に適用すれば理解は容易である。
【００５３】
また、上記説明では、最大許容時間Ｔｍａｘ１０秒をデフォルトにしているが、アラーム発生後に設定される最大許容時間Ｔｍａｘはデフォルトと必ずしも同じである必要は無い。例えば、最も頻度の高い許容時間をデフォルトに設定して内部メモリに記憶しておき、それよりも長い運用上の安全を見込んだ値をアラーム発生後に設定される最大許容時間Ｔｍａｘにするか、その反対に短くした時間を内部メモリに記憶しておくことにより自動設定に係る時間を最適化するようにしても良い。
【００５４】
以上の手順によれば、コマンド信号の伝送異常を検出するためのタイマ値が自動的に設定されるので送信所毎にタイマ値を設定しなくてもすむ。また、ＳＴＬが送信するコマンド信号が現用系と予備系との間で送信周期が異ってもタイマ値の設定が自動的に行われるので、ＳＴＬの設置、および調整工事を容易に済ますことができる。
【図面の簡単な説明】
【００５５】
【図１】本発明の実施例に係る監視制御方法におけるＳＴＬの機能構成を示すブロック図。
【図２】ＳＴＬを用いてコマンド信号を送信する場合の系統図。
【図３】警報出力部の機能構成を示すブロック図。
【図４】現用系と予備系のコマンド信号の入力タイミングを示す図。
【図５】コマンド信号とアラーム出力の関係を示すタイミング図。
【図６】警報発生器におけるタイマ時間の設定方法の手順を説明するフローチャート。
【符号の説明】
【００５６】
１  送信器
１１  無線送信部
１２  多重部
１３  素材入力部
１４  ＳＣ（Ｓｅｒｖｉｃｅ  Ｃｈａｎｎｅｌ）入力部
１５  制御入出力部
２  受信器
２１  無線受信部
２２  分離部
２３  素材出力部
２４  ＳＣ出力部
２５  制御入出力部
２６  警報発生器
２６１  コマンド検出部
２６２  制御処理部
２６３  タイマ
２６４  カウンタ
２６５  アラーム出力部
５  ＳＴＬ（Ｓｔｕｄｉｏ  ｔｏ  Ｔｒａｎｓｍｉｔｔｅｒ  Ｌｉｎｋ）
【図１】
2007013494.tif 000003
【図２】
2007013494.tif 000004
【図３】
2007013494.tif 000005
【図４】
2007013494.tif 000006
【図５】
2007013494.tif 000007
【図６】
2007013494.tif 000008